(57)【要約】【課題】【解決手段】外ドラム１と、この外ドラム１内で下方部が洗濯液に浸漬され水平軸まわりに回転すると共に胴周面には多数の開口が設けられている回転ドラム２を備え、回転ドラム２の左右両側面６，７間には、該回転ドラム２の内周面に沿って装着されるマットレスｍの相対向した両端面が長さ方向にわたってそれぞれ各別に抑止されるようにした、一対の抑止具１６が上記両側面６，７にそれぞれ取り付けられている支持体を介して着脱可能に横架されている。【選択図】　　図２
2004008740.tif 000002
【特許請求の範囲】
【請求項１】
外ドラムと、この外ドラム内で下方部が洗濯液に浸漬され水平軸まわりに回転すると共に胴周面には多数の開口が設けられている回転ドラムを備え、回転ドラムの左右両側面間には、該回転ドラムの内周面に沿って装着されるマットレスの相対向した両端面が長さ方向にわたってそれぞれ各別に抑止されるようにした、一対の抑止具が上記両側面にそれぞれ取り付けられている支持体を介して着脱可能に横架されていることを特徴とするマットレスのドラム式洗濯装置。
【請求項２】
支持体は、回転ドラムの左右両側面に対する抑止具の支持位置を変更できるようにして、回転ドラムの上記両側面にボルトによってそれぞれ取り付けられていることを特徴とする請求項１記載のマットレスのドラム式洗濯装置。
【請求項３】
抑止具は、マットレスの相対向した両端面に対応する長さの接合面部と該接合面部の背面に固定されてその長さ方向に沿って延びる支持棒とを備えて、その記支持棒の先端部で支持体に支持されていることを特徴とする請求項１又は２記載のマットレスのドラム式洗濯装置。
【請求項４】
一対の抑止具の接合面部の断面形状は平面状或いはＬの字状またはコの字状であって、これらの抑止具の対を組み合わせた複数組が回転ドラムの左右両側面間に横架されていることを特徴とする請求項３記載のマットレスのドラム式洗濯装置。
【発明の詳細な説明】
【０００１】
【発明の属する技術分野】
本発明は、ホテルや病院その他一般家庭のベット等に用いられる各種サイズのマットレスを同時に洗濯できる、マットレスのドラム式洗濯装置に関する。
【０００２】
【従来の技術】
マットレスのドラム式洗濯装置としては、洗濯液を供給される外ドラムと該外ドラム内で水平軸まわりに回転する回転ドラムを備え、回転ドラムの内周面上には、該回転ドラムの回転軸線に沿わせて、畝状の突起を間隔を置いて少なくとも２個設け、上記両突起間に回転ドラムの内周面に沿わせるようにしてマットレスを装着し、このマットレスの相対向した左右両端面（通常は長辺側の端面）を上記両突起の両側面に形成されている当接面に押し当てて、複数個のマットレスを同時に洗濯できる構造のものが従来より知られている（１例として特許第３１９０４５７号の特許公報を参照）。
【０００３】
この従来のドラム式洗濯装置は、各突起の両側面に複数個の当接面を階段状に形成して、両突起間にマットレスを積層状態に定置して複数個を同時に洗濯できるように機能付けられており、また、洗濯後、すすぎ洗いとすすぎ水の排出が終了した後に回転ドラムを高速回転させ、脱水を行なわせることもできる仕組になっている。なお、回転ドラムにはマットレスの内側に弾性リングを設けて、洗濯時にマットレスの定置状態を保持しており、また、回転ドラムの胴周面は多数の開口が存在するように多孔板や金網等により形成されている。
【０００４】
【発明が解決しようとする課題】
上記従来装置は、マットレスを両突起の同じ段の相対向した当接面間にそれぞれ定置させて、複数個のマットレスを同時に洗濯することはできるが、それらのマットレスは何れも同一サイズのものに限られてしまい、例えば、大人用とか子供用等の各種サイズのマットレスを同時に洗濯する作業に随時対応できないという問題がある。また、回転ドラムにマットレスが装着されている洗濯時には該回転ドラムは一定時間間隔で左右方向へ回転するため、回転が変わる時は、慣性と水分を含んだマットレスの自重によって、最内側のマットレスの端面部（突起の当接面に当接する部分）は弾性リングの押圧作用にもかかわらず持ち上げられることが往々にしてあり、その結果、マットレスは突起の先端を乗り越えて移動する等の不具合が起こるという問題もある。
【０００５】
本発明はこのような問題を解決したものであって、その目的は、回転ドラムの両側面間に、回転ドラムの内周面に沿わせるようにして装着されるマットレスの相対向した左右両端面が長さ方向にわたってそれぞれ各別に抑止されるようにした、一対の抑止具の複数組が着脱可能に横架され、各一対の抑止具間にマットレスをそれぞれ確実に定置できて、各種サイズのマットレスを同時に洗濯する作業に随時対応することが可能で洗濯作業の利便性を発揮できると同時に、経済性の面でも有効となるマットレスのドラム式洗濯装置を提供することにある。
【０００６】
【課題を解決するための手段】
上記目的を達成するために、本発明の特徴とするマットレスのドラム式洗濯装置は、外ドラムと、この外ドラム内で下方部が洗濯液に浸漬され水平軸まわりに回転すると共に胴周面には多数の開口が設けられている回転ドラムを備え、回転ドラムの左右両側面間には、該回転ドラムの内周面に沿って装着されるマットレスの相対向した両端面が長さ方向にわたってそれぞれ各別に抑止されるようにした、一対の抑止具が上記両側面にそれぞれ取り付けられている支持体を介して着脱可能に横架されている構成である。
【０００７】
そして、支持体は、回転ドラムの左右両側面に対する抑止具の支持位置を変更できるようにして、回転ドラムの上記両側面にボルトによって取り付けられているのが好ましく、各種サイズのマットレスを洗濯する作業に随時対応できる。また、抑止具は、マットレスの相対向した両端面に対応した接合面部と該接合面部の背面に固定されてその長さ方向へ沿って延びる支持棒を備えて、その支持棒の先端部側で支持体に支持されており、また、一対の抑止具の接合面部の断面形状は平面状或いはＬの字状またはコの字状であって、これらの抑止具の対を組み合わせた複数組を回転ドラムの左右両側面間に横架すれば、異なるサイズのマットレスの複数個を同時に洗濯することができる。
【０００８】
【作用】
例えば、抑止具の対を６組用い、抑止具の各対を、被洗濯物であるマットレスの厚み分だけ回転ドラムの左右両側面の中心側へ順次ずらした状態で、それぞれのマットレスの長さ（マットレスの短辺側の長さ）に対応した間隔を置いて回転ドラムの上記両側面間の対向位置にそれぞれ３組づつ横架し、これら各対の抑止具の接合面部間にマットレスの端面を抑止させると、各種サイズのマットレスは３個づつ回転ドラムの内周面に沿って層状に重ねて収容できる（図２を参照）。なお、収容できるマットレスの個数は回転ドラムの容積により規制されることは勿論である。
【０００９】
そして、抑止具の対は、各マットレスの積層状態に対応して、接合面部の断面形状により随時選択して用いれば、マットレスの両端面を接合面部によって確実に抑止でき、洗濯時の遠心力や慣性力等によって起こり勝ちなマットレスの不当な移動や変形は防止されて、マットレスのずれや落脱という不具合の発生することはなく、同一サイズのマットレスは勿論、各種サイズのマットレスの複数個は安定した定置状態で洗濯できる。また、抑止具の着脱作業も所要の横架位置に支持体を介して容易、適確に行なうことが可能であって、マットレス装着状態の安定性と相俟って作業性の向上に大きく寄与できるものである。
【００１０】
【発明の実施の形態】
以下に、本発明の実施の形態を図面を参照しながら説明する。１は外ドラム、２は外ドラム１内で下方部が洗濯液に浸漬され水平軸まわりに回転可能に設置されている円筒状の回転ドラムであって、３は回転ドラム２の回転軸であり、回転ドラム２を片持ち状態で支持している。４は外ドラム１に接続した洗濯液供給管、５は外ドラム１に接続した排出管である。なお、図示説明を省略したが、回転ドラム２の胴周面には従来装置と同様に多数の開口が設けられている。
【００１１】
回転ドラム２の左右両側面６，７は回転軸３の連結部を被覆する状態で張設された内張り板（ステンレス製）８の山形状部８ａと被洗濯物の出入口１０を除いた部分が後述する抑止具を支持する支持体９の止着部として機能している。支持体９は図示の実施例では円盤形状とされ、中央部分に角孔９ａが、その角孔９ａのまわりに３〜４個のボルト挿通孔９ｂがそれぞれ設けられており、ボルト挿通孔９ｂに挿通したボルト１１は上記両側面６，７の止着部側に上記ボルト挿通孔９ｂと対応した状態で多数設けられている雌ねじ１２ａ，１２ｂと螺合し、支持体９を所要の位置で止着できる仕組になっている。
【００１２】
回転ドラム２の左側面６に止着される支持体９の角孔９ａは奥部側が細径部とされ、この細径部を含めて角孔９ａにコイルばね１３が収容されている。コイルばね１３には、支持体９が左側面６に止着されない非使用時の抜け止めを兼ねている、後述する抑止具の支持棒の一端部を受け止めできる圧接板１４が設けられており、細径部の形成により生じた肩部９ｃに抜け止め板１４が当たって、コイルばね１３の角孔９ａからの落脱を阻止できる。なお、回転ドラム２の右側面（ステンレス製）７側における雌ねじ１２ｂは該右側面７に外接して接着されている補強板１５に設けられている。
【００１３】
次ぎに、回転ドラム２の内周面に沿って装着されるマットレスｍの保持に用いられる抑止具１６を説明する。抑止具１６は一対で用いられ、マットレスｍの相対向した両端面に対応する長さの接合面部（１７ａ，１７ｂ，１７ｃ）と該接合面部の背面にそれぞれ固定されてその長さ方向に沿って延びる支持棒１８を備え、その支持棒１８によって回転ドラム２の左右両側面６，７間に支持体９を介して着脱可能に横架される。即ち、支持棒１８は接合面部（１７ａ，１７ｂ，１７ｃ）の両端より突出して、先端部１８ａは支持体９の角孔９ａに嵌め外し可能に嵌合できる角部に形成されており、支持体９とは相対的回転ができない状態に連結される。
【００１４】
そして、一対の抑止具１６の接合面部１７ａの断面形状は平面状、他の一対の抑止具１６の接合面部１７ｂの断面形状はＬの字状、更に他の一対の抑止具１６の接合面部１７ｃの断面形状はコの字状であって、これらの抑止具１６の対を組み合わせた複数組を回転ドラム２の左右両側面６，７間に横架することによって、例えば、図２に示すように異なるサイズのマットレスの複数個（図示実施例の場合は６個）を同時に洗濯することができる。また、左右両側面６，７間に支持体９を介して着脱可能に横架された抑止具１６は、支持棒１８の一端部側がコイルばね１３の弾発作用を受けて、安定した支持状態に置かれる。
【００１５】
なお、断面形状がＬの字状である接合面部１７ｂと断面形状がコの字状である接合面部１７ｃは、回転ドラム２内に装着されるマットレスｍがより安定した定置状態を保持できるように、マットレス平面部分との当接部側を図示の場合より若干幅広く（マットの装着に支障を与えない幅）形成して、マットレス平面部の抑止面が拡大されるように実施してもよく、また、図示省略したが、定置されるマットレスｍに押し当てる弾性膜等の補助押圧材を必要に応じて設け、洗濯時におけるマットレスｍの部分的変形等を防止するように実施することもできる。
【図面の簡単な説明】
【図１】本発明の実施の形態を示す正断面図である。
【図２】図１の要部を示す部分側断面図で、複数組の抑止具を用いてマットレスを装着した使用状態を説明する図である。
【図３】図１のＡ部を拡大して示す部分断面図である。
【図４】図１のＢ部を拡大し構成部材を分離して示す部分斜視図である。
【図５】図１に描かれている抑止具の３形態を示す斜視図である。
【符号の説明】
１は外ドラム
２は回転ドラム
３は回転軸
６は回転ドラムの左側面
７は回転ドラムの右側面
９は支持体
９ａは角孔
９ｂは挿通孔
１１はボルト
１２ａ，１２ｂは雌ねじ
１５は補強板
１６は抑止具
１７ａ，１７ｂ，１７ｃは接合面部
１８は支持棒
１８ａは先端部
ｍはマットレス
【図１】
2004008740.tif 000003
【図２】
2004008740.tif 000004
【図３】
2004008740.tif 000005
【図４】
2004008740.tif 000006
【図５】
2004008740.tif 000007